(57)【要約】【課題】  ギロチン型カッタを有するプリンタにおいて採用容易で構成簡単なスタック構造を有するプリンタを実現する。【解決手段】  板状の固定刃５と、板状の可動刃４ａと、この可動刃４ａを固定刃５に向かって往復駆動させる駆動手段４ｃとを備えた切断部６と、この切断部６の直ぐ下流側にあって固定刃５側に設けられて切断された用紙１０を載置する載置部１４とを備え、可動刃４ａは、固定刃５の下流側に配置されて用紙切断時に固定刃５に向かって移動して用紙１０を切断するとともに、その先端部が用紙を載置部１４に向かって押し込む方向にほぼ垂直な面をもつ形状である。【選択図】図１
2005169958.tif 000002
【特許請求の範囲】
【請求項１】
板状の固定刃と、板状の可動刃と、この可動刃を前記固定刃に向かって往復駆動させる駆動手段とを備えた切断部と、
この切断部の直ぐ下流側にあって固定刃側に設けられて切断された用紙を載置する載置部とを備え、
前記可動刃は、前記固定刃の下流側に配置されて用紙切断時に前記固定刃に向かって移動して前記用紙を切断するとともに、その先端部が前記用紙を載置部に向かって押し込む方向にほぼ垂直な面をもつ形状であることを特徴とするプリンタ。
【請求項２】
板状の固定刃と、往動時に前記固定刃と重畳することで用紙を切断する板状の可動刃と、この可動刃を前記固定刃に向かって往復駆動させる駆動手段とを備えた切断部と、
この切断部の下流側に設けられて用紙を載置する載置部と、
前記切断部によって切断された用紙を前記載置部に移動させる移動手段とを備え、
前記移動手段は、前記切断部の駆動に応じて前記用紙を前記固定刃の下流側表面に沿って前記載置部に移動させることを特徴とするプリンタ。
【請求項３】
前記移動手段は、前記可動刃によって構成されていることを特徴とする請求項２記載のプリンタ。
【請求項４】
前記可動刃の刃先が中央部から端部に向かい固定刃側に突出したＶ字形状をしていることを特徴とする請求項１乃至３のいずれか１項に記載のプリンタ。
【請求項５】
前記切断部の下流側に前記載置部に向かって突出した用紙押し込み部材を設けたことを特徴とする請求項１乃至３のいずれか１項に記載のプリンタ。
【発明の詳細な説明】
【技術分野】
【０００１】
この発明は、用紙切断部と用紙載置部とを有するプリンタに関する。
【背景技術】
【０００２】
従来から、プリンタなどの画像形成装置において、印字媒体、記録紙などと呼ばれる用紙のスタックについて多くの配慮がなされてきている。
【０００３】
媒体スタッカのベースの上に設けた媒体押さえに支持板を備え、さらにこの支持板に保持された弾性材料からなる薄い帯状の押圧板を設けて、印字媒体を整然とベース上に受容しているものがあった（例えば、特許文献１参照）。また、ピザカッタといわれる用紙の切断機構を持った画像形成装置で、ピザカッタの移動体に紙押さえ部及び押し下げ体の動作部を設けて、記録紙をトレイに落下させるものもあった（例えば、特許文献２参照）。
【特許文献１】特開昭５６−９３５７９号公報（第２頁第３欄第１５行目乃至第４欄第１０行目、第１図、第２図）
【特許文献２】特開２０００−１０３５６６号公報（第４頁第５欄段落［００２０］乃至第６欄［００２３］、図１、図３、図４、図５）
【発明の開示】
【発明が解決しようとする課題】
【０００４】
しかしながら、上記のような従来のプリンタでは、その用紙のスタック構造は、複雑で大型であるか、ピザカッタの移動体のような用紙の切断方向と直角の方向に動くものが必要となるものであった。このため、小型化が難しく特にギロチン型カッタを有するプリンタには適用が難しいものであった。
【０００５】
そこで、本発明は、ギロチン型カッタを有するプリンタにおいても採用容易で構成簡単なスタック構造を有するプリンタを実現することを課題とする。
【課題を解決するための手段】
【０００６】
上記課題を解決するため、本発明は、板状の固定刃と、板状の可動刃と、この可動刃を前記固定刃に向かって往復駆動させる駆動手段とを備えた切断部と、この切断部の直ぐ下流側にあって固定刃側に設けられて切断された用紙を載置する載置部とを備え、  前記可動刃は、前記固定刃の下流側に配置されて用紙切断時に前記固定刃に向かって移動して前記用紙を切断するとともに、その先端部が前記用紙を載置部に向かって押し込む方向にほ垂直な面をもつ形状であるプリンタとする。これによって、前記可動刃の前記先端部が確実に用紙の載置部方向への押し込みを行うことができ、簡単な構造で用紙の載置部への良好な整列載置を実現できる。
【０００７】
また、板状の固定刃と、往動時に前記固定刃と重畳することで用紙を切断する板状の可動刃と、この可動刃を前記固定刃に向かって往復駆動させる駆動手段とを備えた切断部と、この切断部の下流側に設けられて用紙を載置する載置部と、前記切断部によって切断された用紙を前記載置部に移動させる移動手段とを備え、前記移動手段は、前記切断部の駆動に応じて前記用紙を前記固定刃の下流側表面に沿って前記載置部に移動させる。これによって、切断部と移動手段を連動させて、移動手段の構成を簡単とすることができ、用紙の載置部への整列を実現できる。
【０００８】
また、前記移動手段は、前記可動刃によって構成されている。これによって、可動刃の移動を活用して簡単な構造で用紙の載置部への整列を実現できる。
【０００９】
また、前記可動刃の刃先が中央部から端部に向かい固定刃側に突出したＶ字形状をしているプリンタとすれば、このＶ字形状により用紙の左右均等押しが行われ中央への整列をより確実と出来る。
【００１０】
また、前記切断部の下流側に前記載置部に向かって突出した用紙押し込み部材を設けたプリンタとすれば、より確実に載置部に用紙を載置できるとともに、載置部に整列した用紙のそり、倒れを防止できる。
【発明の効果】
【００１１】
本発明のプリンタによれば、切断部を活用して用紙を載置部に向かって移動することとしたため、簡単な構造で用紙の載置部への良好な整列載置を実現できる。
【発明を実施するための最良の形態】
【００１２】
以下本発明の実施の形態を図を参照しつつ説明する。
【００１３】
図１は、本発明による一実施の形態としてのプリンタの縦断面図で、初期の用紙待機状態を示す。プリンタ１は、ケース２内に装置収納部２ａとロール紙収納部２ｂとを有し、カバー部２ｃが、ケース２に軸２ｄを中心に開閉回転可能に取り付けられている。ベースシャーシ３の装置収納部２ａの内側には可動刃ユニット４と固定刃５からなる切断部６の可動刃ユニット４が取り付けられている。可動刃ユニット４には、点線で示す可動刃駆動用のモータ４ｃ、このモータ４ｃにより駆動される可動刃４ａ、可動刃加圧ばね４ｂが設けられる。固定刃５は、カバー部２ｃに固定されている。
【００１４】
可動刃ユニット４の下には印字部８がベースシャーシ３に取り付けられている。印字部８は、ここでは、サーマルヘッド８ａとこれを印字用紙に押圧するばね８ｂを有する。また、可動刃ユニット４の下には用紙搬送または引き出し用のモータ４ｄが取り付けられ、カバー部２ｃに取り付けられた、プラテン７、ここではゴムローラからなる、を駆動する。ここでの用紙の引出し部１３は、プラテン７、プラテン７と対向する印字部８の面により構成されている。
【００１５】
用紙１０、ここではロール紙１０は、ロール紙収納部２ｂに納められ、ベースシャーシ３に取り付けられたロール紙１０の支持ローラ１２ａと１２ｂに支持される。また、ケース２に取り付けられた補助ローラ１２ｃもロール紙１０の支持を行う。ロール紙１０は、プラテン７のモータ４ｄ、ここではステップモータ、による回転駆動によって、引き出される。ロール紙１０は、ベースシャーシ３に固定した支持ばね１１ｂに支持されたダンパーローラ１１ａによって弛みをなくされ、装置収納部２ａ側に設けた下ガイド７ａとカバー部２ｃ側に設けた上ガイド７ｂとの間を通って引き出される。上ガイド７ｂには、用紙の有る無しを検出する検出部９が設置されている。図１ではプリンタ１が待機状態にある場合を示しており、ロール紙１０の先端Ａが、可動刃４ａと固定刃５との間にある。
【００１６】
カバー部２ｃには、切断部６の下流側にここでは固定刃５の下流側表面５Ｃ（図７）と用紙ガイド部材１４ａとからなる用紙の載置部１４が設けられる。さらに、切断部６の下流側に載置部（用紙ストック部）１４に向かって突出した用紙押し込み部材１４ｂを設ける。この用紙押し込み部材１４ｂは、ここでは用紙ガイド部材１４ｂと自由回転可能な片持ちの用紙押えレバー１４ｄを含んでいるが、いずれか一方のみであっても良い。
【００１７】
次に、切断部６の可動刃４ａと固定刃５について、図４と図７とを用いて説明する。図４は、可動刃と固定刃と用紙の関係を示す平面図で、切断待機状態を示す。図７は、可動刃と固定刃の関係を示す拡大断面図で、これは切断時の状態を示す。また、切断点における用紙１０の断面の線を一点鎖線で示す。
【００１８】
固定刃５と可動刃４ａは、いわゆるギロチンカッターを構成する。固定刃５は、板状をしており、基部５ｂとこれからわずかな傾斜で曲げ上がった刃先部５ａとからなる。可動刃４ａも基本的に板状をしており、固定刃５の刃先部５ａと対向して、両端に曲げ上がった（図７参照）ガイド部４ｅが設けられる。可動刃４ａの刃先４ｆは、中央部から端部に向かい固定刃５側に突出したＶ字形状をなし、この可動刃４ａの先端部４ｈは、用紙の押し込み方向にほぼ垂直な断面Ｈを持つ。そして、本実施の形態において、可動刃４ａは、用紙１０を載置部１４に移動させる移動手段を構成する。
【００１９】
次にこの実施の形態におけるプリンタの動作につき説明する。
【００２０】
まず、図１乃至３において、図１の状態が初期の用紙待機位置で、前回発行された帳票が切断された位置Ａに用紙１０、ここでは感熱紙、の先端部が位置している。図１の初期の用紙待機状態にあったプリンタ１に、印字指令信号が送られてくると、印字を行うサーマルヘッド８ａと、サーマルヘッド８ａと対向して配置されたプラテン７により、用紙１０へ印字を行いながら、用紙１０を下流側に搬送する（引き出す）。これに従い、用紙（ロール紙）１０は、支持ローラ１２ａ，１２ｂ，補助ローラ１２ｃの上で回転し、ダンパーローラ１１ａで弛み調整された後、下ガイド７ａと上ガイド７ｂとの間をガイドされ引き出される。
【００２１】
サーマルヘッド８ａの下流側には、上記のように、いわゆるギロチンカッターが配置され、この用紙の切断位置（固定刃５の刃先位置）に対して図１右方向への段差を設けた用紙経路を構成するように用紙ガイド部材１４ｃが配置されている。
【００２２】
用紙１０の先端部は用紙ガイド部材１４ｃにより規制を受けながら図２に示されるように用紙の載置部１４へ移動していく。ここでは、用紙押えレバー１４ｄを超えて位置Ｂに用紙先端部が達した状態を示している。更に印字動作が行われ、全ての印字動作が終了すると用紙の搬送動作が停止する。次にギロチンカッターにより用紙１０の切断動作が実行される。図３に示されるように可動刃４ａが図中の矢印Ｘ方向に摺動（往動）して固定刃の上側（下流側）に重畳することで、印刷後の用紙１０の部分（帳票）が可動刃４ａと固定刃５により切断されて行く。この時、可動刃の摺動により、切断された帳票の後端部は用紙の載置部１４へ送りこまれていく。切断された帳票は用紙ガイド部材１４ａ，１４ｂの規制と用紙の剛性により、用紙ストック部１４に留まり、帳票発行動作が完了する。
【００２３】
また、載置部１４に前回発券された帳票があっても、カッター切断位置に対して段差をもった用紙ガイド部材１４ｃにより、帳票が保持されているため、次の帳票の先端部は収納されている帳票の上側に順次積み重なっていくことが可能である。このようにして、帳票のスタック機能が実現される。
【００２４】
次に、切断及びスタック作用（動作）について、図３及び図４乃至７に基づいて詳細に説明する。
【００２５】
用紙１０の先端Ｃが、図３の直前の位置にある、すなわち、用紙切断前の位置にある状態を図４の平面図は示す。可動刃４ａが、図４の下方側に向ってＤＣモータ４ｃによって駆動されるに連れ、図５に示すように、可動刃４ａのＶ字形状をした刃先４ｆが、固定刃５の刃先部５ａとの間で、用紙１０の両端から切断を開始する。この時用紙１０の切断された部分は固定刃５の下流側表面５ｃに沿って載置部１４側に移動する。可動刃４ａがさらに図５の下方に駆動されて進むと可動刃４ａのＶ字形状をした刃先４ｆは、用紙１０をさらに切り進み、図６の状態となる。さらに切り進むと用紙１０は、幅方向全体が切断されて、切断された用紙１０全体が可動刃４ａのＶ字形状の刃先４ｆの押し込み方向にほぼ垂直な断面Ｈを持つ先端部４ｈにより載置部１４に押し込まれて固定刃５の下流側表面５ｃに沿って載置部１４側に移動し、図３の位置に達する。この様に、用紙押し込み部材１４ｂの押し込み作用と可動刃４ａの移動作用により用紙１０を整然と載置部１４に載置させることができる。なお、用紙１０は、切断中には可動刃４ａの先端部４ｈに倣って幅方向Ｖ字形状をしているが、切断完了時には自身の剛性により用紙１０の両端部（最も載置部１４側に移動している部位）の位置で幅方向に直線状となる。
【００２６】
こうして、印字部８で印字された用紙１０の部分は、設定された長さで切断部６により切断されて、次々に、可動刃４ａにより載置部１４に押し込まれて、重ねられる。この時、前に切断された用紙１０が載置部１４に既に存在していれば、今回切断された用紙１０により載置部１４側に押されて整然と重なってならび、載置部１４に載置されていくことになる。
【００２７】
この実施の形態によれば、用紙載置部へ用紙を搬送するための特別の装置を用いることなく、その装置の別途の制御も必要なく、簡単な構成で載置部への良好な整列配置が可能である。また、載置部への用紙搬送用ローラやモータ等の比較的高価な部品を無くせるため、装置のコストが非常に高かった従来のものと比べ比較的安価な部品で、用紙スタッカー機構を実現できる。
【産業上の利用可能性】
【００２８】
以上のように、本発明によるプリンタは、チケット、レシート、伝票などを印刷する小型プリンタとして特に有用である。
【図面の簡単な説明】
【００２９】
【図１】本発明による一実施の形態としてのプリンタの縦断面図である。初期の用紙待機状態を示す。
【図２】図１と同じ実施の形態における印刷途中の状態を示すプリンタの縦断面図である。印字途中の状態を示す。
【図３】図１と同じ実施の形態における用紙への印刷と切断が終了し、用紙の搬送途中の状態を示すプリンタの縦断面図である。印字終了用紙切断後の状態を示す。
【図４】図１と同じ実施の形態における可動刃と固定刃と用紙の関係を示す平面図で、切断待機状態を示す。
【図５】図１と同じ実施の形態における可動刃と固定刃と用紙の関係を示す平面図で、用紙切断中の状態を示す。
【図６】図１と同じ実施の形態における可動刃と固定刃と用紙の関係を示す平面図で、用紙切断終了直前の状態を示す。
【図７】図１と同じ実施の形態における可動刃と固定刃の関係を示す断面図で、切断終了時の状態を示す。
【符号の説明】
【００３０】
１  プリンタ、２  ケース、２ａ  装置収納部、２ｂ  ロール紙収納部、２ｃ  カバー部、２ｄ  軸、３  ベースシャーシ、４  可動刃ユニット、４ａ  可動刃、４ｂ  可動刃加圧ばね、４ｃ  モータ、４ｄ  モータ、４ｅ  ガイド部、４ｆ  刃先、４ｈ  先端部、５  固定刃、５ａ  刃先部、５ｂ  基部、５ｃ  下流側表面、６  切断部、７  プラテン、７ａ  下ガイド、７ｂ  上ガイド、８  印字部、８ａ  サーマルヘッド、８ｂ  ばね、９  検出部、１０  用紙、１１ａ  ダンパーローラ、１１ｂ  支持ばね、１２ａ，１２ｂ  支持ローラ、１２ｃ  補助ローラ、１４  用紙ストック部、１４ａ，１４ｃ  用紙ガイド部材、１４ｂ  用紙押し込み部材、１４ｄ  用紙押えレバー、Ａ，Ｂ，Ｃ  用紙の先端、Ｈ  断面、Ｘ  矢印。
【図１】
2005169958.tif 000003
【図２】
2005169958.tif 000004
【図３】
2005169958.tif 000005
【図４】
2005169958.tif 000006
【図５】
2005169958.tif 000007
【図６】
2005169958.tif 000008
【図７】
2005169958.tif 000009